(57)【特許請求の範囲】
【請求項１】
長さ方向の軸Ｘを有する容器（２）を具備し、該容器の内部には柔軟性を有する柄（１０）の先端に設けられた塗布部材（２０）が取り出し可能に設けられ、該塗布部材（２０）はキャップ（８）で閉止される開口部（３）を通って出し入れ可能で、該軸Ｘは容器（２）の少なくとも一部分では曲線状である、少なくとも一種類の化粧用製品を包装および塗布のための装置（１）。
【請求項２】
前記長さ方向の軸Ｘの曲率が、容器（２）の全長に渡って一定であることを特徴とする請求項１に記載の包装および塗布のための装置（１）。
【請求項３】
前記軸Ｘの曲率が、容器（２）の全長に渡って連続的に変化することを特徴とする請求項１に記載の包装および塗布のための装置（１）。
【請求項４】
前記曲線が実質的に同一平面上にあることを特徴とする請求項１ないし３のいずれか１項に記載の包装および塗布のための装置（１）。
【請求項５】
湾曲が４分の１周から３周の間に及んでいることを特徴とする請求項４に記載の包装および塗布のための装置（１）。
【請求項６】
湾曲が少なくとも螺旋の一部を形成することを特徴とする請求項１ないし３のいずれか１項に記載の包装および塗布のための装置（１）。
【請求項７】
湾曲が少なくとも半周に及んでいることを特徴とする請求項６に記載の包装および塗布のための装置（１）。
【請求項８】
開口部（３）近傍に拭き取り部材（１４）を具備し、塗布部材（２０）が容器（２）に挿入されるときおよび塗布のために容器から引き出されるとき、該拭き取り部材（１４）を通過するようになっていることを特徴とする請求項１ないし７のいずれか１項に記載の包装および塗布のための装置（１）。
【請求項９】
拭き取り部材（１４）は、熱可塑性物質もしくはエラストマー素材または発砲体でできている環状要素（１５）からなり、押圧されていない状態でその内側の横断面積は塗布部材の最大横断面積より小さいことを特徴とする請求項８に記載の包装および塗布のための装置（１）。
【請求項１０】
柄（１０）の第一端は塗布部材（２０）に取り付けられており、第一端の反対側の第二端はキャップ（８）に取り付けられていることを特徴とする請求項１ないし９のいずれか１項に記載の包装および塗布のための装置（１）。
【請求項１１】
柄（１０）が、少なくとも全長の一部分にわたって螺旋スプリング（１８）の形態で形成されていることを特徴とする請求項１ないし１０のいずれか１項に記載の包装および塗布のための装置（１）。
【請求項１２】
スプリング（１８）状の柄は、少なくともその全長の一部分にわたって互いに接触していることを特徴とする請求項１１に記載の包装および塗布のための装置（１）。
【請求項１３】
柄（１０）は、柄の胴体部を形成する筒状要素（１１）と該筒状要素の内部に設けられるスチールロッド（１３）とから構成されるか、熱可塑性材料からなる空洞の柔軟性を有する柄（１１）または熱可塑性を有する材料からなる中実の柔軟性を有する柄を備えることを特徴とする請求項１ないし１０のいずれか１項に記載の包装および塗布のための装置（１）。
【請求項１４】
柄（１０）には、塗布部材（２０）の近傍に、他の部分より柔軟性が大きい領域（１９）が少なくとも一箇所設けられていることを特徴とする請求項１ないし１３のいずれか１項に記載の包装および塗布のための装置（１）。
【請求項１５】
キャップ（８）は容器（２）に、スナップ締結、螺合または傾斜面を含む機構により、着脱可能に装着されていることを特徴とする請求項１ないし１４のいずれか１項に記載の包装および塗布のための装置（１）。
【請求項１６】
塗布部材（２０）は植毛され、絵筆ブラシタイプのブラシ、ボトルブラシタイプのブラシ、塗布櫛（３４）、発泡体のブロック（３０）からなる成型塗布部材、スプリング（３５）、フェルト、熱可塑性物質またはセラミックからなる多孔質体、表面（３３）に浮き彫りを有する構造体、または、繊維の束からなることを特徴とする請求項１ないし１５のいずれか１項に記載の包装および塗布のための装置（１）。
【請求項１７】
容器（２）で形成された曲線の内側に配設された鏡（１７，５３）を具備していることを特徴とする請求項１ないし１６のいずれか１項に記載の包装および塗布のための装置（１）。
【請求項１８】
容器（２）は、ポリエチレン、ポリ塩化ビニル、ポリエチレンテレフタレート、ポリアミド、ポリエステルまたはポリスチレンからなる熱可塑性材料を、押し出し成型、ブローモールディング、機械加工、インジェクションモールディング、熱成型または熱モールディングしてできる一つ以上の構成部分から形成されることを特徴とする請求項１ないし１７のいずれか１項に記載の包装および塗布のための装置（１）。
【請求項１９】
容器（２）は、取り付けられた底部（４）を備え、前記開口部（３）は取り付けられたネック（５）の自由縁部で画定されることを特徴とする請求項１ないし１８のいずれか１項に記載の包装および塗布のための装置（１）。
【請求項２０】
湾曲容器（２）に入っている製品と同じまたは異なる製品が入っている補助容器（５０）を具備し、該補助容器（５０）は湾曲容器（２）に恒久的にまたは着脱可能に取り付けられることを特徴とする請求項１ないし１９のいずれか１項に記載の包装および塗布のための装置（１）。
【請求項２１】
皮膚、毛髪、爪、睫毛または眉毛のための少なくとも一種類の化粧品である口紅、マスカラ、アイシャドウ、アイライナーまたはマニキュアを包装および塗布するための請求項１ないし２０のいずれか１項に記載の包装および塗布のための装置（１）。
【発明の詳細な説明】
【０００１】
【発明の属する技術分野】
本発明は、製品、例えば化粧品、のための包装および塗布装置に関する。製品とは衛生製品、手入れ製品または皮膚、毛髪、睫毛、爪または眉毛にメーキャップするための製品で、特に、睫毛または眉毛につけるマスカラ、マニキュア、アイシャドウまたは口紅である。
【０００２】
【従来の技術と発明が解決しようとする課題】
従来、これらの製品の多くは、一般的には高さに比べて横断面の小さい直線型の円筒容器および柄の先端に形成された塗布部材を容器内に入っている製品に接触させるために挿入するときに通過する開口部を備えた装置に包装されている。容器への挿入および引き出しの際、塗布部材についている製品の量を調節するために、塗布部材はこれらの開口部近傍に配置されたしごき部材を通過するようになっている。
【０００３】
この種の構成を有する柄の欠点は、これらの包装および塗布装置が縦に長くなることで、このながさは特に製品が睫毛または眉毛に塗布されるような場合、製品が適切に塗布できるような十分な長さの柄を備える必要性から規定される。
これらの従来の装置のいくつかは、特に製品の塗布部材への充填、すなわち塗布部材の製品への可触性に関して不十分な点があり、この問題は製品が容器の壁面近傍にある場合や粘性が大きい場合は顕著である。
【０００４】
したがって、本発明の目的の一つは、従来の装置に関する上述の問題の全部または一部を解決する、例えば化粧品などの、包装および塗布装置を提供することである。
本発明の一つの具体的な目的は、先端に塗布装置が設けられている柄の長さを短くすることなく、特に縦方向の長さを顕著に低減した装置を提供することである。
【０００５】
本発明の別の目的は、塗布部材に製品を十分充填できるような装置を提供することである。
本発明のまた別の目的は内部の製品をより容易に、全部またはほぼ全部使用可能になる装置を提供することである。
本発明のまた別の目的は、外見が斬新で、操作が簡単で、生産が経済的な装置を提供することである。
また別の目的は、特にメーキャップ製品に使用するとき、特に塗布のタッチの柔らかさ、睫毛のカール、長毛化および精密さについて、効果的な塗布特徴をもたらす装置を製造することである。
【０００６】
【課題を解決するための手段】
本発明によれば、これらの目的は、柔軟性を有する柄の先端に出し入れ可能な塗布部材を有し縦方向の軸Ｘを持つ容器を具備する、製品、特に化粧品、を包装および塗布するための装置が提供されることによって達成される。該塗布部材はキャップで封止される開口部から出し入れ可能で、軸Ｘは容器の長さの少なくとも一部分に渡って曲線状である。
【０００７】
軸で規定される曲線の形態は非常に多様である。それは特に曲率半径が一定のループまたはループの環の一部、または一方向および／または他方向へ、特に曲率半径が連続的に変化する円弧の連続で形成される。楕円形または卵形のループまたはループの一部分でも良い。あるいは、五角形、六角形または八角形となるように、互いに一定の角度で接続された直線部分の連続で形成されるループまたはループの一部でもよい。ループまたはループの一部は同一面上にあってもよく、螺旋もしくは螺旋の一部を形成する三次元構造であっても良い。
好適には曲線状の容器は軸Ｘに直角で同一面に含まれる、少なくとも２つまたは３つの部分を有する。
【０００８】
一般的には、湾曲の形態は塗布部材（好適にはそれ自身は柔軟性を有する）の寸法および柄の柔軟性によって決定されるので、湾曲の形態によって決まる経路に沿って、柄の先端に形成される塗布部材を容易に容器へ挿入することができる。このために、できるだけ連続的で回転形状に近い曲線が好ましい。塗布部材の引き出しの際にも同様のことが必要である。
容器の曲線状の形態のために、従来の直線状の装置に比べてコンパクトでそれゆえに場所をとらない装置を提供することが可能になる。
【０００９】
柄の柔軟性のため、塗布部材が引き出されると、柄は実際には直線状の形態に戻る。しかし、わずかに曲線状の形状を保持してもよく、それは製品を塗布する際に有用で、さらに塗布部材の容器内への戻し入れを容易にすることができる。
さらにキャップが柄に取り付けられている場合、そしてキャップが回転動作により開口される場合（特にネジ式で着脱するとき）、この回転動作により柄の末端の塗布部材に螺旋状の運動が生じ、塗布部材が容器の壁面に接触するようになる。これは塗布部材で容器の壁面を「拭き取る」ことになり、塗布部材に製品をより含浸させる結果となる。これは装置を最終的に使い切るとき特に有益である。
【００１０】
柄は柔軟性を有するが、塗布部材を容器に挿入する際、容器が曲線状の形状であるため発生する塗布部材にかかる抵抗を克服するために、十分な強度を持っていなくてはならない。もちろん容器の曲率が大きくなるほど塗布部材にかかる抵抗は大きくなる。
容器の形状は、従来と同等或いは従来の装置よりさらに長い柄の使用を可能にする。メーキャップ製品を包装または塗布するための装置の場合、そのような長さの増加はメーキャップを容易にする。
【００１１】
特にメーキャップ製品の中でも睫毛にメーキャップを塗布するための製品の場合、柄の弾力性により、より長い、よりカールされた睫毛にすることが可能になる。
アイシャドウまたは口紅の場合、メーキャップの斑の原因となるのは圧力であるが、この大きな弾力性は、メーキャップされる表面に働く圧力を低減することによって、塗布のタッチの柔らかさを改良する。
マニキュアの場合、より厚く、より均一で、より鮮やかな塗装が可能になる。
【００１２】
前述したように、長さ方向の各部の曲率は容器の全長に渡って一定でよい。或いは、特に容器の全長に渡って長さ方向の各部の曲率が、連続的に変化しても良い。
軸によって形成された曲線は概ね一つの平面上に位置する。曲線は、４分の１周から３周、好適には半周から約１周半にわたる。
または、曲線は少なくとも螺旋の一部分を形成してもよく、好適には少なくとも半周、さらに好適には約一周またはそれ以上に及ぶ。
【００１３】
容器が少なくとも部分的に環状または螺旋状の形状であれば、同一平面上にあってもそうでなくても、使用者はブレスレットのように容器を身に付けることができる。
曲線状の形状の容器は、別の容器に結合させることができ、好適には異なる製品が入っている別の曲線状の容器に結合させる。そのような別の容器は曲線状の容器に係止または、着脱可能に装着できる。曲線状の容器が環状の場合、付加容器は環状容器の内壁の内側に配設することができる。
付加容器も曲線状の形状、特に主容器と相補的形状にできる。このように、初めの容器が半周を構成し付加容器が他の半周を構成して、螺旋構造の一周（３６０度）を形成する装置では、それぞれの容器の底部は対面している。
【００１４】
このように、他の容器に口紅、マニキュア、クリームまたは頬紅を入れる一方で、湾曲容器にマスカラを入れることができる。
好適には、本発明による装置は、塗布部材を容器内に挿入する時と塗布のため容器から引き出される時に通過するように開口部に取り付けられたしごき部材を備える。
そのようなしごき部材は、例えば熱可塑性もしくはエラストマー素材、または発砲体でできた環状要素から成り、押圧されていない状態でその内側の横断面積は塗布部材の最大横断面積より小さい。
【００１５】
好適には、柄の第一端は塗布部材に取り付けられ、第一端の反対側にある第二端はキャップに取り付けられている。
第一の実施例によれば、柄は螺旋状スプリングの形状に形成される。かかるスプリングは金属または熱可塑性の物質でできている。スプリングの形状で柄を形成すると、巻き線の間を空気が通ることができるので、柄がしごき部材を通過するときに生じる容器内の加圧または減圧を低減することができる。
好適には、スプリング形状の柄は、少なくともその全長の一部で互いに接触している。そのような接触する曲線は柄の「目に見える」汚れを減らすことになる。このようなスプリングは、接触しない部分があってもよく、その部分では変形が促進され、特に製品を塗布する際、有用である。
【００１６】
他の実施例によれば、柄は、特に「ピアノ線」タイプの金属柄を備えてもよく、できるだけ柄の胴体部を形成する柔軟性を有する筒状要素の内部に設けられる。或いは、柄は、空洞でもまたはそうでなくても、例えば熱可塑性の、例えばポリエチレンでできていてもよい。
好適には、柄は塗布部材に固定されている先端近傍に、柔軟性が他の部分より大きい領域が少なくとも一箇所存在する。容器内部で製品に接触する際に塗布部材に働く圧力はこれにより制限される。
柄がスプリングの形状のとき、柔軟性が最も大きな領域は、塗布部材近傍の領域でスプリングの横断面が小さくなること、または塗布部材近傍に一巻き以上の非接触の巻きが存在することにより生じる。
【００１７】
キャップは、特に、スナップ締結、螺合または傾斜面を含む機構によって着脱可能に容器に装着される。
塗布部材には植毛してあってもなくてもよい。塗布部材は絵筆ブラシタイプのブラシ、特に「捻りブラシ」タイプのブラシのようなボトルブラシタイプのブラシ、塗布櫛、発砲体のブロックのような成型塗布部材、フェルト、熱可塑性物質やセラミックからなる多孔質体、繊維の束、または表面に細溝または浮き彫りがある構造体からなっていてもよい。
【００１８】
塗布部材は、柄からの連続で形成された、接触または非接触の巻きの螺旋状のスプリングで構成することもできる。柄そのものを螺旋状スプリングの形状で形成してもよい。塗布スプリングは、一巻き以上の非接触の巻きまたは小さい横断面の巻きの連続による接続領域で柄を形成するスプリングと分離することができる。塗布スプリングに植毛することもできる。
塗布部材はプラスチック、木または金属で作成することができる。型抜き、切断または圧縮により形成できる。
本発明による装置は、鏡、特に容器により形成される湾曲の内側に設けられる鏡を具備することができる。このように、環状形態の容器の場合、鏡は容器の環状内壁の内側に広がる壁面の一側面に配設できる。もう一方の壁面は製品に関連する表示（商標名、ロゴ、成分、使用法など）のために使用できる。そのような壁面は残りの容器部分と一緒に形成することもできるし、特にスナップ締結、接着、溶接による付着部分として形成することもできる。
【００１９】
容器は、例えばポリエチレン、ポリ塩化ビニル、ポリエチレンテレフタレート、ポリアミド、ポリエステルまたはポリスチレンのような熱可塑性物質を、吹き込み成形、機械加工、インジェクションモールディング、熱成型または熱モールディングしてできる一つ以上の構成部分から形成される。
容器は開管の形態で押し出し形成でき、一端は取り付け底部で閉塞され、他端には、柄および塗布部材を具備するキャップに螺合するための取り付けネックが設けられる。
【００２０】
本発明による装置は特に皮膚、毛髪、爪、睫毛または眉毛のための化粧品の包装および塗布に利用することができる。例として口紅、マスカラ、アイシャドウ、アイライナーまたはマニキュアについて言及する。
上記の特徴とは別に、本発明は、添付の図面を参照して説明する非限定的な実施態様に関して以下に記載する特徴を有する。
【００２１】
【発明の実施の形態】
図１から３の実施例では、包装および塗布装置１は、開口部３から実際には開口部３と同じ高さに位置する取り付け底部４の間に伸びる軸Ｘを有する容器２を具備する。容器２は押し出し成型管から得ることができる。
容器２は、開口部３と底部４の間に約３６０度に渡って伸長するループを形成する。
装置１の縦方向の面には壁が形成され、容器２の内側の環状縁部１６の内部に設けられる。壁の一方の面には鏡１７が接着されている。容器に含まれる製品に関する技術的および/または商業的情報が壁の他の面に添付される。
【００２２】
開口部３は取り付けネック５の自由端で範囲が画定され、取り付けネックの外側の表面にはネジ部６があり、キャップ８の内側にある対応ネジ部７と協働するようになっている。キャップ８は弾力性のある柄に取り付けられていて、柄の先端は発砲体のブロック３０で形成された塗布部材２０に取り付けられている。容器２に含まれている製品は唇用の液体に近い混合物である。
弾力性のある柄１０は低密度ポリエチレン製の空洞１１の柄を具備し、該空洞部１１の一端はキャップ８の軸上の突起部１２に嵌合固定されている。柄の空洞部１１の他端は発砲体ブロック３０に取り付けられている。柄１０にスプリング作用を持たせるため、柄の空洞部１１の内部にほぼ全長に渡って細いスチールロッド（ピアノ線タイプ）１３が入っている。
【００２３】
しごき部材１４は、容器のネック５にしっかりと取り付けられ、特に緊密に嵌合している。しごき部材１４は横断面積が塗布部材１２の最大横断面積より小さい環状リップ１５を備える。
図３の断面図に描かれているように、キャップ８が嵌合された位置にある場合、柄１０は容器２の軸Ｘの湾曲に大体沿っている。塗布部材２０は容器２の底部４のかなり近い位置にある。
この実施例による装置を使用するとき使用者はキャップ８を捻って外す。そうすると、使用者は柄１０と柄に固定されている塗布部材２０を回すことになる。捻って外す動作の間、塗布部材２０は大体螺旋状の経路で容器の内壁をこする。ネジ部６および７が外れたら、使用者は塗布部材２０を容器から引き出すために、キャップ８を引く。開口部近傍で、塗布部材２０は過多な製品を除去するしごき部材１４を通過する。
【００２４】
塗布部材２０が完全に引き出されると、柄１０は大体直線状の形状に戻る（図２）。製品は従来の方法で塗布でき、柄の弾力性により唇に塗布する際のタッチは柔らかなものになる。
使用後は、使用者は塗布部材２０を容器２に挿入する。塗布部材２０は、しごきリップ１５を再び通過し、容器の曲線状の壁面によって底部４の方へ導入される。柄１０は塗布部材２０を底部の方へ押すことができる程度の硬さはあるが、容器の形に適合できる程度に柔軟である。容器のネック５のネジ部６がキャップ８のネジ部７と係合するまで挿入動作は続く。係合すると、容器を密閉するためにキャップ８は容器２に対して捻られる。捻る回転動作の際、塗布部材２０は再び容器の内壁に接触し、螺旋状の経路を容器２が開口されるときと逆方向に動く。
【００２５】
以後説明する図４（ａ）から図４（ｅ）は、キャップ８、柄１０および塗布部材２０を含む塗布具の部分組み立て品の数種の代替形態を図示したものである。
図４（ａ）の代替形態によると、塗布部材２０は「捻れ」ブラシタイプのマスカラブラシ３１を含む。柔軟性を有するの柄１０は巻きが接触しているスプリング１８で形成され、その横断面は全長に渡ってほぼ一定で、先端にある先端領域１９では、横断面積が塗布部材２０に向かって次第に小さくなる。この先端領域１９は柔軟性が大きいので、特に開閉の際、容器内部で塗布部材２０が製品と接触するときにかかる押圧が限定される。
塗布部材２０が使用に際して引き出されるとき、および使用後容器にもどされるときに発生するあらゆる事象は、前述の実施例と同じである。塗布の際、柔軟性を有する柄１０の弾性は、より長い、よりカールされた睫毛にすることを可能にする。
【００２６】
図４（ｂ）に描かれた代替形態では、塗布部材２０は絵筆タイプのブラシ３２で、その剛毛のふさは大体柄１０の軸に沿っている。本実施例によれば、柄１０は開放端でキャップ８に取り付けられている。柄１０が導入されるとキャップ８の開放端は栓体２１でクリップ締結される。適用される製品はマニキュアである。
塗布部材２０が使用に際して引き出されるとき、および使用後容器にもどされるときに発生するあらゆる事象は、前述の実施例と同じである。塗布の際、柔軟性を有する柄１０の弾性は、爪との接触で製品に及ぼされるブラシ３２による圧力を限定することを可能にするので、製品の塗装をより厚く、より均一にすることができる。
【００２７】
図４（ｃ）の組み立て部品は柔軟性を有する柄１０が単に空洞のプロピレン柄１１からなる点で、図１から図３の実施例とは異なる。さらに、塗布部材２０は、表面がダイアモンド模様の形態の浮き彫りになっている熱可塑性物質の表面３３からなる。
図４（ｄ）の実施例は、塗布部材２０が塗布櫛３４を含む点で図４（ａ）の実施例とは異なり、塗布櫛３４は整列した歯部を備え、特にポリエチレンのような素材を成形して得られる。そのような塗布具は、睫毛や眉毛にマスカラを塗布するとき特に適切である。本実施例によると、柔軟性が大きい領域１９は塗布櫛３４近傍に設けられた一巻きから二巻きの非接触の巻きの部分からなる。
【００２８】
図４（ｅ）の実施例は、塗布部材２０は接触する巻きのスプリング３５からなり、その表面は起毛状である点で図４（ｂ）の実施例とは異なっている。毛屑は特にナイロン、レーヨンまたは綿繊維で出来ている。かかる塗布具３５は睫毛または眉毛に塗布するマスカラに申し分なく適切である。本実施例でも、柔軟性を有する柄１０は巻きが接触した螺旋状スプリング１８からなり、塗布スプリング３５は領域１９で柄から分離されている。領域１９も接触した巻きの螺旋状スプリングの形態で形成されるが、その断面積は柄１８および塗布スプリング３５の断面積より小さい。柄１８、接続部分１９および塗布スプリング３５は単一の構成要素として形成される。
図５の一般配置図に描かれた実施例では、容器２の曲線状の軸Ｘは、図１から図３の実施例のような一平面にとどまらず、螺旋状に約一回転半に渡って伸長している。本実施例による装置１の操作および利点は、前述の実施例に関して詳細に論じたことと同じである。
【００２９】
図６（ａ）および図６（ｂ）の実施例では、湾曲容器２は約一回転半に渡って伸長しており、一平面に設けられている。湾曲容器２には睫毛用のマスカラが入っている。環状内壁１６の内側には着脱可能なスナップ締結で湾曲容器２に入った製品とは異なる製品、特にコンパクトパウダー、の入った容器５０が設けられる。容器５０は、環状縁部１６にスナップ締結された本体５１と本体にヒンジ止めされた蓋部５２を具備したケースの形態で形成される。鏡５３は容器５０の底部に固着される。
【００３０】
前述の詳細な説明ではいくつかの本発明の好適な実施形態を説明した。特許請求の範囲に記載された発明の精神から逸脱せず、これらに変形を施すことが出来ることは明らかである。
【図面の簡単な説明】
【図１】本発明による第一の実施例の装置の斜視図。
【図２】図１の装置の組み立て分解図。
【図３】図１および図２に図示された装置の縦断面図。
【図４】図４（ａ）から図４（ｅ）は、キャップ、柄、および塗布部材からなる部分組み立て品の各種の実施例を描いたものである。
【図５】本発明による他の実施例の装置の斜視図。
【図６】図６（ａ）及び図６（ｂ）は、本発明による他の実施例の装置に関する図である。
【符号の説明】
１  装置
２  容器
３  開口部
４  取り付け底部
５  取り付けネック
６  ネジ部
７  対応ネジ部
８  キャップ
１０  柄
１１  柄の空洞柄
１２  突起部
１３  スチールロッド
１４  しごき部材
１５  環状リップ
１６  環状縁部
１７  鏡
１８  スプリング(柄)
１９  先端領域
２０  塗布部材
２１  栓体
３０  発砲体のブロック
３１  捻りブラシタイプのブラシ（マスカラブラシ）
３２  絵筆タイプのブラシ（塗布ブラシ）
３３  熱可塑性物質の表面
３４  塗布櫛
３５  塗布スプリング
５０  容器
５１  容器（本体）
５２  容器（蓋）
５３  鏡
【図１】
0003782979.tif 000002
【図２】
0003782979.tif 000003
【図３】
0003782979.tif 000004
【図４】
0003782979.tif 000005
【図５】
0003782979.tif 000006
【図６】
0003782979.tif 000007